(57)【要約】【課題】この考案は、固定方法や設置条件が限定されず、誰でも簡単に取付け、取り外しが出来、且つ、低コストで耐久性のあるレールを利用したペットの係留及び運動器具を開発・提供する事にある。【解決手段】この課題を解決する為の手段として、家屋等の壁、又は天井の一部、又は全周、全域に直線又は円弧状に形成した摺動用レールを必要に応じて必要数だけ連結して固着し、且つ、該摺動用レール部材の内側に挿着し、レールの長手方向に摺動可能な点滴ランナー等の摺動金具を設け、且つ、該摺動用レールの両端部に、必要に応じて抜け止め用ストッパーを嵌挿して固着し、且つ、該摺動金具のフック部にスプリング等の長輪フック付伸縮金具と鎖を設けたものである。【選択図】　図６
0003097153.tif 000002
【実用新案登録請求の範囲】
【請求項１】
犬等のペット（ＰＥ）用係留用具において、家屋（Ｈ）等の壁（Ｗ）、又は天井（Ｃ）の一部、又は全周、全域に所定の長さ寸法（Ｌ１）（Ｌ２）を有する直線状、又は円弧状に形成したブラケット（６）付、又は吊り金具（７）付Ｈ型レール（１）（２）、又はコの字型レール（１’）（２’）等の摺動用レールを必要に応じて必要数だけ連結し、且つ、所定の高さ寸法（Ｈ）に固着し、且つ、該摺動用レールの内側（１ａ）（２ａ）に挿着し、レールの長手方向に摺動可能な点滴ランナー等の摺動金具（４）を設け、且つ、該摺動用レールの両端部に、必要に応じて抜け止め用ストッパー（Ｓ）を嵌挿して固着し、且つ、該摺動金具（４）のフック部（４ｂ）にスプリング等の長輪フック（５ａ）（５ｃ）付伸縮金具（５）と鎖（８）を設けた事を特徴とするレールを利用したペットの係留及び運動器具。
【考案の詳細な説明】
【０００１】
【考案の属する技術分野】
この考案は、レールを利用したペットの係留及び運動器具に関するものである。
【０００２】
【従来の技術】
従来、犬等のペットを係留して飼う場合、一箇所に固定して鎖等で固定するか、或いは、サークルやフェンス等の囲いを用いる方法が一般的であった。
【０００３】
又、最近では、ワイヤーロープ等を利用したアイデア商品も市販されているが、固定方法の関係で設置条件が限定され、最長で７ｍ位迄が限度である。従って、ペットにとって、満足のいく行動範囲とは云えず、コスト的にも割高である等、問題が多い。
【０００４】
【考案が解決しようとする課題】
そこで、この考案は上記の問題を解決する為に、固定方法や設置条件が限定されず、誰でも簡単に取付け、取り外しが出来、且つ、低コストで耐久性のあるレールを利用したペットの係留及び運動器具を開発・提供する事にある。
【０００５】
【課題を解決するための手段】
この課題を解決する為の手段として、この考案は、家屋等の壁、又は天井の一部、又は全周、全域に直線又は円弧状に形成した摺動用レールを必要に応じて必要数だけ連結して固着し、且つ、該摺動用レール部材の内側に挿着し、レールの長手方向に摺動可能な点滴ランナー等の摺動金具を設け、且つ、該摺動用レールの両端部に、必要に応じて抜け止め用ストッパーを嵌挿して固着し、且つ、該摺動金具のフック部にスプリング等の長輪フック付伸縮金具と鎖を設けたものである。
【０００６】
【考案の実施の形態】
そこで、この考案の一実施例を図１〜図５に基づいて詳述すると、家屋（Ｈ）等の壁（Ｗ）、又は天井（Ｃ）の一部、又は全周、全域に所定の長さ寸法（Ｌ１）（Ｌ２）を有する直線状、又は円弧状に形成したブラケット（６）付、又は吊り金具（７）付Ｈ型レール（１）（２）、又はコの字型レール（１’）（２’）等の摺動用レールを必要に応じて必要数だけ連結し、且つ、所定の高さ寸法（Ｈ）に固着し、且つ、該摺動用レールの内側（１ａ）（２ａ）に挿着し、レールの長手方向に摺動可能な点滴ランナー等の摺動金具（４）を設け、且つ、該摺動用レールの両端部に、必要に応じて抜け止め用ストッパー（Ｓ）を嵌挿して固着し、且つ、該摺動金具（４）のフック部（４ｂ）にスプリング等の長輪フック（５ａ）（５ｃ）付伸縮金具（５）と鎖（８）を設けた事を特徴とするレールを利用したペットの係留及び運動器具から構成される。
【０００７】
この考案のレールは、カーテンレール等に使用する市販のレールを使用した物で、壁や天井等の直線部に使用する直線形状のレール（１）と角部に使用する円弧形状に形成した円弧状レール（２）の二種類あって、必要に応じて連結金具（３）を使用して、連結しながら延長が可能で、場合によってはレールを切断して長さを調整する事も出来る。
【０００８】
又、市販品のレールには、伸縮調整可能な物もある為、状況に応じて使い分ける事も可能である。
【０００９】
又、上記連結金具（３）は、図３に示す様に固定用ビス（３ｄ）と止め金具（３ａ）（３ｂ）（３ｃ）で構成されているが、家具用品等のカーテンレールに使用されるものでも使用可能である。
【００１０】
そして、連結されたレール（１）（２）の両端部には、摺動金具（４）が抜け落ちない様に、抜け防止用ストッパー（Ｓ）をビス等の係止部材で係止する様に成っている。但し、家屋（Ｈ）の全周にエンドレス形態に取り付ける場合は、ストッパー（Ｓ）は不要である。
【００１１】
この考案のレール取り付け方法には、家屋（Ｈ）の壁（Ｗ）に固定するものと、天井（Ｃ）に吊り下げて使用する２種類有って、図６に示す様に、壁（Ｗ）に固定する場合は、レール（１）（２）の上面にブラケット（６）を必要数だけ係止し、所定の間隔（Ｐ）で壁に固定する。
【００１２】
又、図７に示す様に、天井（Ｃ）に吊り下げて使用する場合は、レール（１）（２）の上面に伸縮自在吊棒等の吊り金具（７）を必要数だけ係止し、所定の間隔（Ｐ）で天井（Ｃ）に固定する。
【００１３】
又、直線状レール（１）、又は円弧状レール（２）の内側下部（１ａ）（２ａ）にレールの長手方向に摺動する摺動金具（４）のローラー部（４ａ）を挿入して、
フック部（４ｂ）には、ペットが移動する際に、首に負担が掛らない様、バネフック（５ａ）とスプリング等の伸縮部材（５ｂ）と長穴リング（５ｃ）を組み合わせた伸縮金具（５）を取り付け、更にその先端部に鎖（８）を付けてペット（ＰＥ）を係留する仕組みに成っている。
【００１４】
【考案の効果】
直線状と円弧状の摺動用レール（１）（２）を連結して組み合わせる事で、条件さえ許せば無限にペット（ＰＥ）等の係留範囲が拡大可能となり、ペットの運動不足やストレスの解消がはかれ、更には防犯等にも大いに役立つ。
【００１５】
又、摺動用レール（１）（２）の取り付け方法を壁（ブラケットで固定）と天井（伸縮自在吊り棒等の吊り金具で固定）のどちらでも可能にし、摺動金具（４）のフック部（４ｂ）に伸縮金具（５）を取り付ける事で、施工範囲が拡大出来、且つ、多少の高低差が有っても使用が可能である。
【００１６】
又、この考案に使用されている部品は全て市販品で、コスト的にも割安で、誰でも簡単に取り付け、取り外しが可能である等、極めて有益なる効果を奏するものである。
【図面の簡単な説明】
【図１】この考案の一実施例を示し、（Ａ）は直線状レールの断面形状図で、（Ｂ）は平面図である。
【図２】この考案の一実施例を示し、（Ａ）は円弧状レールの正面図で、（Ｂ）は平面図である。
【図３】この考案の一実施例を示し、（Ａ）は連結金具の正面図で、（Ｂ）は平面図である。
【図４】この考案の一実施例を示し、（Ａ）は摺動金具の正面図で、（Ｂ）は右側面図である。
【図５】この考案の一実施例を示し、伸縮金具の正面図である。
【図６】この考案の使用例を示し、ブラケットを使用して壁に摺動用レールを固定した時のペットの係留状態を示す正面図である。
【図７】この考案の使用例を示し、吊り金具を使用して天井に摺動用レールを固定した時のペットの係留状態を示す正面図である。
【符号の説明】
１　直線状の摺動用レール
１ａ　直線状摺動用レールの内側下部
２　円弧状の摺動用レール
２ａ　円弧状摺動用レールの内側下部
３　連結金具
３ａ　止め金具
３ｂ　止め金具
３ｃ　止め金具
３ｄ　固定用ビス
４　摺動金具
４ａ　摺動金具のローラー部
４ｂ　摺動金具のフック部
５　伸縮金具
５ａ　バネフック
５ｂ　スプリング等の伸縮部材
５ｃ　長穴リング
６　ブラケット
７　吊り金具
８　鎖
Ｃ　天井
Ｈ　家屋
Ｌ１　直線状レールの長さ寸法
Ｌ２　円弧状レールの長さ寸法
Ｐ　ブラケット又は吊り金具の取り付けピッチ
ＰＥ　犬等のペット
Ｗ　壁
【図１】
0003097153.tif 000003
【図２】
0003097153.tif 000004
【図３】
0003097153.tif 000005
【図４】
0003097153.tif 000006
【図５】
0003097153.tif 000007
【図６】
0003097153.tif 000008
【図７】
0003097153.tif 000009